(57)【要約】      （修正有）【課題】液晶保護フィルムを携帯端末の液晶画面に付着する過程が失敗なく、携帯端末の液晶画面に付いた異物の除去および液晶保護フィルムの付着過程が連続過程で迅速になることができて、液晶保護フィルムを付着することの失敗による液晶保護部材の追加購買費用を節減できるようにした携帯端末の液晶保護フィルム付着ケースを提供する。【解決手段】携帯端末の液晶保護フィルム付着ケースは、離型フィルム１１および離型フィルム１１から分離され、携帯端末の液晶に付着される液晶保護フィルム１２を含む液晶保護部材１０を収容するフィルム収容空間１３０を含むフィルム収納部材１００；および液晶保護部材１０の長さ方向に平行の移動方向に沿って移動して、フィルム収納部材１００に結合および分離され、移動方向に垂直に配置され、携帯端末の上端部、または下端部に対応される端末対応部２３０を含む移動部材を含み、移動部材は、端末対応部２３０の周りの一部領域が液晶保護フィルム１２と連結される。【選択図】図１
0003207363.tif 000002
【実用新案登録請求の範囲】
【請求項１】
離型フィルムおよび前記離型フィルムから分離され、携帯端末の液晶に付着される液晶保護フィルムを含む液晶保護部材を収容するフィルム収容空間を含むフィルム収納部材；および
前記液晶保護部材の長さ方向に平行の移動方向に沿って移動して、前記フィルム収納部材に結合および分離され、前記移動方向に垂直に配置され、携帯端末の上端部、または下端部に対応する端末対応部を含む移動部材を含み、
前記移動部材は、前記端末対応部の周りの一部領域が前記液晶保護フィルムと連結されることを特徴とする、
携帯端末の液晶保護フィルム付着ケース。
【請求項２】
前記端末対応部は、前記携帯端末の上端部、または下端部に対応するプレート状の滑り片を含むことを特徴とする、
請求項１に記載の携帯端末の液晶保護フィルム付着ケース。
【請求項３】
前記端末対応部は、
携帯端末の上端部、または下端部の形に対応する形で形成され、前記携帯端末の上端部、または下端部外周を収容する湾入部と；
前記湾入部の端部から垂直に突出され、前記湾入部の中央に位置し、前記携帯端末の上端部、または下端部の中央に対応するプレート状の滑り片と；
前記湾入部の端部から垂直に突出され、前記滑り片の左側および右側に位置し、前記携帯端末の上端部、または下端部の角領域に対応するプレート状の一対のガイド片とを含むことを特徴とする、
請求項１に記載の携帯端末の液晶保護フィルム付着ケース。
【請求項４】
前記フィルム収納部材は、前記フィルム収容空間が内側面に形成された長方形プレートからなり、
前記移動部材は、前記移動方向に垂直の一端部に前記端末対応部を有する長方形プレートからなることを特徴とする、
請求項１に記載の携帯端末の液晶保護フィルム付着ケース。
【請求項５】
前記フィルム収納部材は、前記フィルム収容空間が内側面に形成されたプレート状の底部；および前記底部に垂直の側面部を含み、
前記移動部材は、前記移動方向に垂直の一端部に前記端末対応部を有するプレート状の蓋部を含み、
前記移動部材は、前記蓋部の縁が前記側面部の上端に置かれ、前記移動方向に沿って移動するように構成されることを特徴とする、
請求項１に記載の携帯端末の液晶保護フィルム付着ケース。
【請求項６】
前記フィルム収納部材は、前記底部の一側の短軸辺に隣接して配置されて一定距離離隔され、互いに対向する一対のガイド壁を含み、
前記移動部材は、前記蓋部の外面で所定の長さで延長され、前記一対のガイド壁に面して、前記液晶保護部材の長さ方向にスライディングされる一対のスライディング壁を含むことを特徴とする、
請求項５に記載の携帯端末の液晶保護フィルム付着ケース。
【請求項７】
前記一対のガイド壁は、前記一対のスライディング壁が接する面に形成されたガイド溝を含み、
前記一対のスライディング壁は、前記一対のガイド壁と接する面に形成され、前記ガイド溝に締結されるガイド突起を含むことを特徴とする、
請求項６に記載の携帯端末の液晶保護フィルム付着ケース。
【請求項８】
前記移動部材は、前記一対のスライディング壁の間に位置し、前記フィルム収容空間に対向するフィルム押す面をさらに含むことを特徴とする、
請求項６に記載の携帯端末の液晶保護フィルム付着ケース。
【請求項９】
前記移動部材は、前記移動部材が前記フィルム収納部材に結合されるように移動する時、前記移動部材の移動を制限するストッパーをさらに含み、
前記ストッパーは、前記端末対応部の反対側に配置されることを特徴とする、
請求項５に記載の携帯端末の液晶保護フィルム付着ケース。
【請求項１０】
前記ストッパーは、前記フィルム押す面から突出され、
前記フィルム収納部材は、前記一対のガイド壁の間に位置するように前記底部の内側面に形成され、前記ストッパーと締結されるストッパー締結溝をさらに含むことを特徴とする、
請求項９に記載の携帯端末の液晶保護フィルム付着ケース。
【請求項１１】
前記フィルム収納部材は、前記フィルム収容空間に隣接して配置され、前記移動部材の蓋部を支持する一対の蓋部支持部をさらに含むことを特徴とする、
請求項５に記載の携帯端末の液晶保護フィルム付着ケース。
【請求項１２】
前記装置は、前記フィルム収容空間に隣接するよう、前記フィルム収納部材に結合された液晶ほこり除去部材をさらに含むことを特徴とする、
請求項１に記載の携帯端末の液晶保護フィルム付着ケース。
【請求項１３】
前記液晶ほこり除去部材は、前記フィルム収納部材の側面部に両側端部が軸連結され、回転可能に設置された回転ローラを含み、
前記回転ローラの外面には、液晶のほこりを除去するために粘着シートが付着されたことを特徴とする、
請求項１２に記載の携帯端末の液晶保護フィルム付着ケース。
【請求項１４】
前記フィルム収納部材は、前記液晶ほこり除去部材に対向するように配置され、携帯端末の上端部、または下端部が前記端末対応部に対応する時、前記携帯端末を支えるように構成された端末支え部をさらに含むことを特徴とする、
請求項１２に記載の携帯端末の液晶保護フィルム付着ケース。
【請求項１５】
前記移動部材は、前記移動方向に垂直の方向に凹んで形成された収容部をさらに含むことを特徴とする、
請求項１に記載の携帯端末の液晶保護フィルム付着ケース。
【考案の詳細な説明】
【技術分野】
【０００１】
本考案は、携帯端末の液晶保護フィルム付着ケースに関する。さらに詳しくは、携帯端末の液晶画面に液晶保護フィルムを素早く、容易に付着するために用いられる携帯端末の液晶保護フィルム付着ケースに関する。
【背景技術】
【０００２】
最近広く普及されているスマートフォンとタブレットＰＣは、一般の携帯電話より液晶が大型で高価であるため、傷が発生しないように主に液晶保護フィルムを付着して使用する。
【０００３】
液晶保護フィルムは、一般的に底面に接着部が設けられた透明の合成樹脂製フィルムと、接着部が設けられた合成樹脂製フィルムに分離可能に設けられて、接着部を保護する離型フィルムからなってスマートフォン等に付着される。
【０００４】
一般の携帯電話は、液晶の形が四角または長方形で、大きさが小さく、キーパッド、スピーカー、カメラの位置が液晶ではなく、端に位置していて、離型フィルムを折って分離しながら、液晶フィルムを容易に付着することができる。
【０００５】
最近広く普及されて使われているスマートフォンまたはタブレットＰＣなどは、液晶画面内にカメラレンズ、スピーカー、ホームボタンおよび各種センサー等が位置されてあって、液晶保護フィルムは、これと対応する位置に切開および穿孔されて、適切に付着できるように製造され、市販されている。
【０００６】
液晶保護フィルムをスマートフォンまたはタブレットＰＣに付着する時には、液晶画面内に位置したカメラレンズ、スピーカー、ホームボタンおよび各種センサーと対応するように切開および穿孔された部分に挿入できるように付着しなければならない。
【０００７】
しかし、液晶画面自体が一般の携帯電話より大きく、穿孔部位と切開部位とが上下に位置した状態であるため、正確な位置を探して一回でちゃんと付着しにくい問題がある。
【０００８】
特に、市販されている液晶保護フィルムは、背面に付着された離型フィルムの方にラベル一つが付着されていて、液晶保護フィルムを液晶画面に配置し、ラベルを把持した状態で一つの方向へ引っ張りながら、離型フィルムを分離し、これによって液晶画面の上下部の位置を一致させることは容易ではない。
【０００９】
もし液晶保護フィルムを定位置で、一度に付着できない場合、ずれて液晶保護フィルムが付着される。ずれて付着された液晶保護フィルムをはがす場合、接着剤面に異物が流入されるか、指紋や手のあとによって接着剤面が毀損され、透明度が落ちるようになり、接着剤面が損傷される場合、接着力が低下する問題が起こる。
【００１０】
従って、携帯用情報端末に液晶保護フィルムを一度で正確に付着しなければならないため、液晶保護フィルムの付着が非常に難しく、一度で液晶保護フィルムを付着できない場合、液晶保護フィルムが損傷され、新しい液晶保護フィルムを使う場合が頻繁に発生する問題があった。
【先行技術文献】
【特許文献】
【００１１】
【特許文献１】韓国特許登録公報第１０−１１４９５７３号
【考案の概要】
【考案が解決しようとする課題】
【００１２】
本考案は、液晶保護フィルムを携帯端末の液晶画面に付着する過程が失敗なく携帯端末の液晶画面に付いた異物の除去および液晶保護フィルムの付着過程が連続過程で迅速になることができて、液晶保護フィルムを付着することの失敗による液晶保護部材の追加購買費用を節減できるようにした携帯端末の液晶保護フィルム付着ケースを提供する。
【課題を解決するための手段】
【００１３】
本考案の一側面によると、携帯端末の液晶保護フィルム付着ケースは、離型フィルムおよび前記離型フィルムから分離され携帯端末の液晶に付着される液晶保護フィルムを含む液晶保護部材を収容するフィルム収容空間を含むフィルム収納部材；および前記液晶保護部材の長さ方向と平行する移動方向に沿って移動して前記フィルム収納部材に結合および分離され、前記移動方向に垂直に配置され、携帯端末の上端部、または下端部に対応する端末対応部を含む移動部材を含み、前記移動部材は、前記端末対応部の周りの一部領域が前記液晶保護フィルムと連結されることを特徴とする。
【００１４】
一例としては、前記端末対応部は、前記携帯端末の上端部、または下端部に対応するプレート状の滑り片を含むことができる。
【００１５】
他例として、前記端末対応部は、携帯端末の上端部、または下端部の形に対応する形からなり、前記携帯端末の上端部、または下端部周りを収容する湾入部と；前記湾入部の端部から垂直に突出され前記湾入部の中央に位置し、前記携帯端末の上端部、または下端部の中央に対応するプレート状の滑り片と；前記湾入部の端部から垂直に突出され前記滑り片の左側および右側に位置し、前記携帯端末の上端部、または下端部の角領域に対応するプレート状の一対のガイド片とを含むことができる。
【００１６】
一実施例として、前記フィルム収納部材は、前記フィルム収容空間が内側面に形成されたプレート状の底部；および前記底部に垂直の側面部とを含み、前記移動部材は、前記移動方向に垂直の一端部に前記端末対応部を有するプレート状の蓋部を含み、前記移動部材は、前記蓋部の縁が前記側面部の上端に置かれて、前記移動方向に沿って移動するように構成することができる。
【００１７】
移動部材がフィルム収納部材にスライディング結合するために、一例として、前記フィルム収納部材は、前記底部の一側の短軸辺に隣接して配置され、一定距離離隔され、互いに対向する一対のガイド壁を含み、前記移動部材は、前記蓋部の外面から所定の長さで延長され、前記一対のガイド壁に面して前記液晶保護部材の長さ方向にスライディングされる一対のスライディング壁を含むことができる。
【００１８】
前記一対のガイド壁は、前記一対のスライディング壁が接する面に形成されたガイド溝を含み、前記一対のスライディング壁は、前記一対のガイド壁と接する面に形成され、前記ガイド溝に締結されるガイド突起を含むことができる。
【００１９】
一実施例として、前記移動部材は、前記一対のスライディング壁の間に位置し、前記フィルム収容空間に対向するフィルム押す面をさらに含むことができる。
【００２０】
前記移動部材は、前記移動部材が前記フィルム収納部材に結合するように移動される時、前記移動部材の移動を制限するストッパーをさらに含み、前記ストッパーは、前記端末対応部の反対側に配置されることができる。
【００２１】
一実施例として、前記ストッパーは、前記フィルム押す面から突出され、前記フィルム収納部材は、前記一対のガイド壁の間に位置するように前記底部の内側面に形成され、前記ストッパーと締結されるストッパー締結溝をさらに含むことができる。
【００２２】
一実施例として、前記フィルム収納部材は、前記フィルム収容空間に隣接して配置され、前記移動部材の蓋部を支持する一対の蓋部支持部をさらに含むことができる。
【００２３】
一実施例として、前記装置は、前記フィルム収容空間に隣接するように前記フィルム収納部材に結合された液晶ほこり除去部材をさらに含むことができる。
【００２４】
また、液晶ほこり除去部材は、前記フィルム収納部材の側面部に両側端部が軸連結され、回転可能に設置された回転ローラを含み、前記回転ローラの外面には、液晶のほこりを除去するために粘着シートが付着されたものとすることができる。
【００２５】
一実施例として、前記フィルム収納部材は、前記液晶ほこり除去部材に対向するように配置され、携帯端末の上端部、または下端部が前記端末対応部に対応する時、前記携帯端末を支えるように構成した端末支え部をさらに含むことができる。
【００２６】
一実施例として、前記移動部材は、前記移動方向に垂直の方向に凹んで形成された収容部をさらに含むことができる。
【００２７】
本考案の他側面として、前記フィルム収納部材は、前記フィルム収容空間が内側面に形成された長方形プレートからなり、前記移動部材は、前記移動方向に垂直した一端部に前記端末対応部を有する 長方形プレートからなることができる。
【考案の効果】
【００２８】
本考案による携帯端末の液晶保護フィルム付着ケースによると、液晶保護フィルムを携帯端末の液晶画面に付着する過程が失敗なく携帯端末の液晶画面に付いた異物除去および液晶保護フィルムの付着過程が連続過程で迅速になることができて、液晶保護フィルムを付着することの失敗による液晶保護部材の追加購買費用を節減できる効果がある。
【図面の簡単な説明】
【００２９】
【図１】本考案の一実施例による携帯端末の液晶保護フィルム付着ケースの構成を示した分離斜視図である。
【図２】図１に図示された移動部材の内側面を示した斜視図である。
【図３】本考案の一実施例による携帯端末の液晶保護フィルム付着ケースの使用過程の説明のために携帯端末が端末対応部に対応された状態を示した斜視図である。
【図４】本考案の一実施例による携帯端末の液晶保護フィルム付着ケースの使用過程の説明のために移動部材が移動して液晶保護フィルムが離型フィルムから離隔される状態を示した斜視図である。
【考案を実施するための形態】
【００３０】
以下、添付の図面を参照し、本考案の実施例による携帯端末の液晶保護フィルム付着ケースについて詳しく説明する。本考案は、様々な変更を加えることができ、様々な形を有することができるところ、特定実施例等を図面に例示し、本文に例示し、本文に詳しく説明する。しかし、これは本考案を特定の開示形態において限定することではなく、本考案の事象および技術範囲に含まれる全ての変更、均等物乃至代替物を含むことと理解されるべきである。各々の図面を説明しながら、類似な参照符号を類似な構成要素において使用した。添付の図面において、構造物等の寸法は、本考案の明確性を期するために実際より拡大して図示したものである。
【００３１】
第一、第二などの用語は、様々な構成要素等を説明するに使われることができるが、前記構成要素等は前記用語等によって限定されてはならない。前記用語等は、一つの構成要素を他の構成要素から区別する目的のみで使われる。例えば、本考案の権利範囲を外れないで第一構成要素は第二構成要素と命名することができて、類似に第二構成要素も第一構成要素と命名されることができる。
【００３２】
本出願で使用した用語は、ただ特定の実施例を説明するために使われたものであり、本考案を限定する意図ではない。単数の表現は、文脈上明らかに異なる意味ではない限り、複数の表現を含む。本出願で、「含む」または「有する」等の用語は、明細書上に記載された特徴、数字、段階、動作、構成要素、部分品、またはこれらを組み合わせたものが存在することを指定することであり、一つ、またはその以上の他の特徴等や数字、段階、動作、構成要素、部分品、またはこれらを組み合わせたものらの存在、または、付加可能性を予め排除しないことと理解されるべきである。
【００３３】
異なると定義されない限り、技術的か科学的用語を含めて、ここで使われる全ての用語等は、本考案が属する技術分野で通常の知識を有する者によって一般的に理解されるものと同じ意味を有している。一般的に使われる辞書に定義されているものと同じ用語等は、関連技術の文脈上有する意味と一致する意味を有するものと解釈されるべきであり、本出願で明らかに定義しない限り、理想的か過度に形式的意味と解釈されない。
【００３４】
図１は、本考案の一実施例による携帯端末の液晶保護フィルム付着ケースの構成を示した分離斜視図であり、図２は、図１に図示された移動部材の内側面を示した斜視図である。
【００３５】
図１および図２を参照すると、本考案の一実施例による携帯端末の液晶保護フィルム付着ケースは、フィルム収納部材（１００）と、移動部材（２００）とを含む。
【００３６】
フィルム収納部材（１００）は、液晶保護部材（１０）を収納する空間を提供する。そのため、フィルム収納部材（１００）は、底部（１１０）と、側面部（１２０）とおよびフィルム収容空間（１３０）とを含むことができる。
【００３７】
底部（１１０）は、長方形のプレート状であることができて、側面部（１２０）は、底部（１１０）の縁から垂直に延長されることができる。
【００３８】
フィルム収容空間（１３０）は、底部（１１０）の内側面に形成される。例えば、フィルム収容空間（１３０）は、底部（１１０）の内側面より低く位置するように底部（１１０）の内側面から凹んで形成されることができる。
【００３９】
ここで、フィルム収容空間（１３０）に収納される液晶保護部材（１０）は、離型フィルム（１１）および離型フィルム（１１）から分離されて、携帯端末の液晶に付着される液晶保護フィルム（１２）を含むことができる。
【００４０】
このような液晶保護部材（１０）がフィルム収容空間（１３０）に収容される時、液晶保護フィルム（１２）が上に位置するように収納される。
【００４１】
移動部材（２００）は、フィルム収納部材（１００）に結合されてフィルム収納部材（１００）の側面部（１２０）の内側を覆う蓋部（２１０）を含む。
【００４２】
蓋部（２１０）は、前記底部（１１０）の大きさと同じか、前記底部（１１０）の大きさより大きい大きさを有する長方形のプレート状であることができる。
【００４３】
蓋部（２１０）の内側面の縁は、移動部材（２００）が前記移動方向に沿って移動する時、フィルム収納部材（１００）の側面部（１２０）の上端部に対応する。
【００４４】
移動部材（２００）は、フィルム収納部材（１００）にスライディングができるように結合される。そのため、フィルム収納部材（１００）は、一対のガイド壁（１４０）を含み、移動部材（２００）は、一対のスライディング壁（２２０）を含むことができる。
【００４５】
一対のガイド壁（１４０）は、フィルム収納部材（１００）の底部（１１０）の一側の短軸辺、即ち、底部（１１０）の内側面を正面にして見ると、底部（１１０）の上端部に隣接して配置できる。
【００４６】
一対のガイド壁（１４０）の形成のためにフィルム収納部材（１００）の側面部（１２０）の一部が切開され、側面部（１２０）の内側を開放し、側面部（１２０）の開放された部分の両側に一対のガイド壁（１４０）が形成されることができる。
【００４７】
一対のガイド壁（１４０）は、一定距離離隔されて互いに対向し、底部（１１０）の長さ方向に平行で延長される。
一対のガイド壁（１４０）の延長された長さには、特別な制限はなく、図１に図示されたように、短い長さで延長されることができる。
【００４８】
このような一対のガイド壁（１４０）の内面にはガイド溝（１４１）が形成されることができる。
【００４９】
一対のスライディング壁（２２０）は、移動部材（２００）の蓋部（２１０）の内側面から下に垂直で蓋部（２１０）の長さ方向に沿って所定の長さで延長される。
【００５０】
一対のスライディング壁（２２０）は、一定距離で離隔され互いに対向される。
一対のガイド壁（１４０）の離隔された距離は、一対のガイド壁（１４０）の離隔された距離と等しいこともある。
【００５１】
このような一対のスライディング壁（２２０）の内面には、ガイド突起（２２１）が形成されることができる。
【００５２】
ガイド突起（２２１）は、一対のガイド壁（１４０）の内面に形成されたガイド溝（１４１）に締結されて一対のスライディング壁（２２０）が一対のガイド壁（１４０）に接してスライディングされる時、一対のスライディング壁（２２０）が離脱されることを防止し、安定的に移動できるようにする。
【００５３】
このような一対のガイド壁（１４０）および一対のスライディング壁（２２０）によって移動部材（２００）は、フィルム収納部材（１００）に収納される液晶保護部材（１０）の長さ方向およびフィルム収納部材（１００）の長さ方向に平行の移動方向に沿ってスライディング移動し、フィルム収納部材（１００）に結合および分離される。
【００５４】
一方、移動部材（２００）は、フィルム収納部材（１００）に結合された状態でフィルム収納部材（１００）と分離される方向へ移動すると、フィルム収容空間（１３０）内に収容された液晶保護部材（１０）の液晶保護フィルム（１２）を離型フィルム（１１）から次第に離隔させて、次第に離隔される液晶保護フィルム（１２）を携帯端末（３０）の液晶に付着するように構成される。
【００５５】
そのため、移動部材（２００）は、端末対応部（２３０）を含み、端末対応部（２３０）の周りの一部領域が液晶保護フィルム（１２）と連結される。
【００５６】
端末対応部（２３０）は、携帯端末（３０）の上端部、または下端部と対応されて携帯端末（３０）を端末対応部（２３０）の方向へ押すと移動部材（２００）が移動方向に沿って移動するようにするための部分である。
【００５７】
端末対応部（２３０）は、移動部材（２００）の移動方向に垂直の一端部、即ち、移動部材（２００）の蓋部（２１０）の下端部に位置する。
端末対応部（２３０）は、湾入部（２３１）と、滑り片（２３２）と、一対のガイド片（２３３）とを含むことができる。
【００５８】
湾入部（２３１）は、携帯端末（３０）の上端部、または下端部の外周を収容することができる。
そのため、湾入部（２３１）は、携帯端末（３０）の上端部の形に対応する形で形成できる。湾入部（２３１）は、移動部材（２００）の蓋部（２１０）の下端部から湾入されて、形成できる。
【００５９】
滑り片（２３２）は、湾入部（２３１）の端部から垂直に突出されるプレート状であることがあり、湾入部（２３１）の中央に位置する。
【００６０】
このような滑り片（２３２）は、携帯端末（３０）の上端部、または下端部が湾入部（２３１）の内側に進入されると、携帯端末（３０）の上端部、または下端部の中央に対応できる。
【００６１】
一対のガイド片（２３３）は、湾入部（２３１）の端部から垂直に突出されるプレート状であることがあり、滑り片（２３２）の左側および右側に位置する。
【００６２】
このような一対のガイド片（２３３）は、携帯端末（３０）の上端部、または下端部が湾入部（２３１）の内側へ進入されると携帯端末（３０）の上端部、または下端部の角領域に対応され、携帯端末（３０）の上端部、または下端部が湾入部（２３１）の内側に容易に進入されるように案内できる。
【００６３】
液晶保護フィルム（１２）と連結される領域は、滑り片（２３２）および各々のガイド片（２３３）の間の領域であることがある。
【００６４】
一例として、液晶保護フィルム（１２）は、離型フィルム（１１）に付着された付着面の反対面に付着されたシート状のタグ（Ｔａｇ）（２０）を介して移動部材（２００）と連結することができる。
【００６５】
この場合、タグ（２０）の先端部は、滑り片（２３２）および各々のガイド片（２３３）の間で蓋部（２１０）の外面に付着できる。
一例として、タグ（２０）と蓋部（２１０）の外面との接着は、両面テープを介してなすことができる。
【００６６】
このように連結された液晶保護フィルム（１２）は、移動部材（２００）がフィルム収納部材（１００）と分離される方向へ移動すると、タグ（２０）が引っ張られることによって離型フィルム（１１）から離隔されることができる。
【００６７】
一方、フィルム収納部材（１００）は、一対の蓋支持部（１５０）をさらに含み、移動部材（２００）は、フィルム押す面（２４０）をさらに含むことができる。
【００６８】
一対の蓋支持部（１５０）は、フィルム収納部材（１００）のフィルム収容空間（１３０）に隣接して配置されて移動部材（２００）が移動方向に沿って移動する時、蓋部（２１０）を支持する。
【００６９】
そのため一対の蓋支持部（１５０）は、移動部材（２００）の移動方向に平行で延長される。
一例として、各々の蓋支持部（１５０）は、一対のガイド壁（１４０）からフィルム収納部材（１００）の下端部方向に延長できる。
【００７０】
一対の蓋支持部（１５０）の延長された長さは、移動部材（２００）の移動距離に対応する長さであることがあり、所定の幅を有するように形成される。このような蓋支持部（１５０）には、移動部材（２００）の蓋部（２１０）の内側面が支持される。
【００７１】
フィルム押す面（２４０）は、移動部材（２００）が移動方向に沿って移動する時、フィルム収容空間（１３０）内に収納された液晶保護部材（１０）を押す。
【００７２】
フィルム押す面（２４０）は、一対のスライディング壁（２２０）の間に位置することができる。
一例として、フィルム押す面（２４０）のはしが各々のスライディング壁（２２０）の端部に連結され、一対のスライディング壁（２２０）と一体で形成できる水平の面で形成できる。
【００７３】
この時、フィルム押す面（２４０）は、フィルム収容空間（１３０）に対向される。
このようなフィルム押す面（２４０）は、移動部材（２００）がフィルム収納部材（１００）に結合される時、フィルム収納部材（１００）の底部（１１０）の内側面に密着され、これによってフィルム収容空間（１３０）内に液晶保護部材（１０）が収納される場合、液晶保護部材（１０）に密着できる。
【００７４】
一方、移動部材（２００）は、ストッパー（２５０）および収容部（２６０）をさらに含むことができて、フィルム収納部材（１００）は、ストッパー締結溝（１６０）をさらに含むことができる。
【００７５】
ストッパー（２５０）は、移動部材（２００）がフィルム収納部材（１００）に結合されるように移動される時、移動部材（２００）の移動を制限する。
【００７６】
ストッパー（２５０）は、移動部材（２００）の端末対応部（２３０）の反対側に配置される。
一例として、ストッパー（２５０）は、端末対応部（２３０）の反対側でフィルム押す面（２４０）から突出されるように形成できる。
【００７７】
即ち、ストッパー（２５０）は、移動部材（２００）の上端部に隣接して配置される。
ストッパー（２５０）の形には、特に制限はなく、例えば、ストッパー（２５０）の断面の形は、直角三角形の形であることがある。
【００７８】
ストッパー（２５０）が直角三角形の断面の形を有する場合、直角三角形の垂直する面は、端末対応部（２３０）の方向に対向するように形成できる。このようなストッパー（２５０）は、移動部材（２００）がフィルム収納部材（１００）に結合されるように移動される時、フィルム収納部材（１００）の底部（１１０）の上端部に対応されて移動部材（２００）の移動距離を制限できる。
【００７９】
収容部（２６０）は、移動部材（２００）の移動方向に垂直する方向に凹んで形成される。
一例として、収容部（２６０）は、フィルム押す面（２４０）から蓋部（２１０）の外面方向に凹んで形成できる。
【００８０】
収容部（２６０）の面積は、フィルム押す面（２４０）の面積より小さい。このような収容部（２６０）には、液晶クリーナーなどが収納できる。
【００８１】
ストッパー締結溝（１６０）は、ストッパー（２５０）と締結される。そのため、ストッパー締結溝（１６０）は、ストッパー（２５０）の断面の形に対応する形を有することができる。
【００８２】
例えば、ストッパー（２５０）が直角三角形の断面の形を有する場合、ストッパー締結溝（１６０）も直角三角形断面の形を有することができる。
【００８３】
ストッパー締結溝（１６０）は、フィルム収納部材（１００）の底部（１１０）の内側面に形成され、一対のガイド壁（１４０）の間に位置することができて、フィルム収納部材（１００）の上端部に隣接して配置できる。
【００８４】
一方、本考案の一実施例による携帯端末の液晶保護フィルム付着ケースは、液晶ほこり除去部材（３００）をさらに含むことができ、フィルム収納部材（１００）は、端末支え部（１７０）をさらに含むことができる。
【００８５】
液晶ほこり除去部材（３００）は、フィルム収納部材（１００）に収納された液晶保護部材（１０）の液晶保護フィルム（１２）の付着前に携帯端末（３０）の液晶画面に付いたほこりを除去するための手段である。
【００８６】
液晶ほこり除去部材（３００）は、フィルム収納部材（１００）に結合され、フィルム収容空間（１３０）に隣接し、フィルム収納部材（１００）に結合された移動部材（２００）の端末対応部（２３０）と隣接するように配置される。
【００８７】
一例として、液晶ほこり除去部材（３００）は、回転ローラであることがある。
この場合、回転ローラは、フィルム収納部材（１００）の側面部（１２０）に両側端部が軸連結され、回転可能に設置できる。
回転ローラの外面には、液晶のほこりを除去するために粘着シート（３１０）が巻かれることがある。
【００８８】
回転ローラは、携帯端末（３０）を移動部材（２００）の端末対応部（２３０）に対応させた後、携帯端末（３０）を押して移動部材（２００）を移動させる時、携帯端末（３０）の移動によって回転できて、その時、粘着シート（３１０）は、携帯端末（３０）の液晶画面に付いたほこりを除去することができる。
【００８９】
端末支え部（１７０）は、携帯端末（３０）の上端部、または下端部が端末対応部（２３０）に対応する時、携帯端末（３０）を支える部分である。
【００９０】
端末支え部（１７０）は、液晶ほこり除去部材（３００）に対向するようにフィルム収納部材（１００）の底部（１１０）の内側面に備えられることができる。
一例として、端末支え部（１７０）は、「Ｌ」の形の断面の形を有することがある。
【００９１】
この場合、端末支え部（１７０）の上端部の高さは、液晶ほこり除去部材（３００）の高さと同じか低いことがある。
【００９２】
以下から、このような本考案の一実施例による携帯端末の液晶保護フィルム付着ケースを用いて、携帯端末の液晶画面に液晶保護フィルムを付着する過程を図３および図４を参照して説明する。
【００９３】
図３は、本考案の一実施例による携帯端末の液晶保護フィルム付着ケースの使用過程の説明のために携帯端末が端末対応部に対応された状態を示した斜視図であり、図４は、本考案の一実施例による携帯端末の液晶保護フィルム付着ケースの使用過程の説明のために移動部材が移動して液晶保護フィルムが離型フィルムから離隔される状態を示した斜視図である。
【００９４】
携帯端末の液晶画面にフィルムを付着するために、まず移動部材（２００）は、フィルム収納部材（１００）に結合されていて、フィルム収納部材（１００）のフィルム収容空間（１３０）には液晶保護部材（１０）が収納され、この時、液晶保護部材（１０）の液晶保護フィルム（１２）が移動部材（２００）の蓋部（２１０）の内側面に対向するように位置し、液晶保護フィルム（１２）の上端部はフィルム収納部材（１００）の下端部を向き、液晶保護フィルム（１２）の下端部は、フィルム収納部材（１００）の上を向くように収納される。
【００９５】
液晶保護フィルム（１２）の上端部は、タグ（２０）を介して移動部材（２００）の端末対応部（２３０）の周りに連結される。
【００９６】
この状態で図３のように携帯端末（３０）の上端部を移動部材（２００）の端末対応部（２３０）に対応させる。
【００９７】
この時、携帯端末（３０）の上端部は、端末対応部（２３０）の湾入部（２３１）内に収容され、端末対応部（２３０）の滑り片（２３２）および一対のガイド片（２３３）は、携帯端末（３０）の上端部外周に対応する。
【００９８】
また、この時、端末支え部（１７０）は、携帯端末（３０）を支えるようになり、携帯端末（３０）の液晶画面は、液晶ほこり除去部材（３００）に対向するように位置する。
【００９９】
続いて、携帯端末（３０）をフィルム収納部材（１００）の上端部を向いて押し、移動部材（２００）をフィルム収納部材（１００）と分離される方向へ移動させる。
【０１００】
携帯端末（３０）および移動部材（２００）が移動する過程で携帯端末（３０）の液晶画面に付いているほこりなどの異物は、液晶ほこり除去部材（３００）によって除去され、液晶保護フィルム（１２）は、図４のように離型フィルム（１１）から離隔されて、携帯端末（３０）の液晶画面の表面に付着される。
【０１０１】
即ち、携帯端末（３０）が移動されると、液晶ほこり除去部材（３００）の回転ローラは回転し、回転ローラに巻かれている粘着シート（３１０）は携帯端末（３０）の液晶画面に付いているほこり等の異物を除去し、液晶保護フィルム（１２）は、移動部材（２００）が移動して端末対応部（２３０）が液晶保護フィルム（１２）の上端部と次第に遠のく過程で、液晶保護フィルム（１２）の上端部は、端末対応部（２３０）の周りに付着されたタグ（２０）を介して引っ張られるようになり、これによって液晶保護フィルム（１２）の上端部は、離型フィルム（１１）と離隔される。
【０１０２】
この時、離型フィルム（１１）と離隔される液晶保護フィルム（１２）の上端部は、折れ曲がって覆して液晶保護フィルム（１２）の付着面が携帯端末（３０）に対向するようになり、携帯端末（３０）が引き続き移動すると、液晶保護フィルム（１２）の付着面が携帯端末（３０）の液晶画面の表面に付着され、液晶保護フィルム（１２）は、携帯端末（３０）の液晶画面に付着される。
【０１０３】
このような過程で移動部材（２００）のフィルム押す面（２４０）がフィルム収容空間（１３０）内に収納された液晶保護部材（１０）を押しながら移動部材（２００）が移動するようになる。
【０１０４】
移動部材（２００）がフィルム収納部材（１００）の上端部まで移動すると、液晶保護フィルム（１２）の全体面は、離型フィルム（１１）から分離され、携帯端末（３０）の液晶画面の全体に付着される。
【０１０５】
このように、本考案の一実施例による携帯端末の液晶保護フィルム付着ケースを用いると次のような長所がある。
【０１０６】
一、携帯端末（３０）の上端部、または下端部を端末対応部（２３０）に対応させた後、携帯端末（３０）をフィルム収納部材（１００）の上端部方向に押して移動部材（２００）を移動させる過程のみで、液晶保護フィルム（１２）は、携帯端末（３０）の液晶画面に付着するため、携帯端末（３０）の液晶画面を保護するための液晶保護フィルム（１２）を付着する過程が非常に容易で素早くなされることができて、液晶保護フィルム（１２）を携帯端末（３０）の液晶画面に付着する過程の失敗なく、液晶保護フィルム（１２）を携帯端末（３０）の液晶画面に付着することができる。
【０１０７】
二、液晶ほこり除去部材（３００）を介して液晶保護フィルム（１２）が携帯端末（３０）の液晶画面に付着される前に液晶ほこり除去部材（３００）によって携帯端末（３０）の液晶画面に付いているほこり等の異物が除去されるため、携帯端末（３０）の液晶画面の表面と液晶画面に付着された液晶保護フィルム（１２）との間に異物が存在しない、清い状態で液晶保護フィルム（１２）が付着できる。
【０１０８】
三、移動部材（２００）を移動させながら、液晶保護フィルム（１２）を携帯端末（３０）の液晶画面に付着する過程で、フィルム収納部材（１００）のフィルム収容空間（１３０）の内側に位置した液晶保護部材（１０）の全体をフィルム押す面（２４０）が押して移動部材（２００）が移動するため、液晶保護部材（１０）がフィルム収容空間（１３０）の内側から浮いたり離脱したりすることが防止される。
【０１０９】
従って、液晶保護部材（１０）の全体の浮き、または離脱による液晶保護フィルム（１２）の付着過程の失敗が防止される。
【０１１０】
結論的に、本考案の一実施例による携帯端末の液晶保護フィルム付着ケースを用いると、携帯端末（３０）の液晶画面に付いた異物除去および液晶保護フィルムの付着過程が連続過程で迅速になされて、また、これを介して液晶保護フィルムを携帯端末の液晶画面に付着する過程が失敗なく簡単で迅速になされることによって、液晶保護フィルムを付着することの失敗による液晶保護部材の追加購買費用を節減できる。
【０１１１】
一方、本考案の一実施例による携帯端末の液晶保護フィルム付着ケースは、消費者にパッケージの形で提供できる。
【０１１２】
即ち、フィルム収納部材（１００）に液晶保護部材（１０）を収納し、移動部材（２００）の収容部（２６０）内には、液晶クリーナーを収納した後、移動部材（２００）に形成されたストッパー（２５０）をフィルム収納部材（１００）に形成されたストッパー締結溝（１６０）に締結すると、移動部材（２００）のフィルム押す面（２４０）が液晶保護部材（１０）を押して、移動部材（２００）は、移動なくフィルム収納部材（１００）の内部を覆う。
【０１１３】
このように、液晶保護部材（１０）および液晶クリーナーを収納して液晶保護部材（１０）、液晶クリーナーおよび液晶保護部材（１０）の液晶保護フィルム（１２）を付着できる装置の組み合わせで消費者に提供することができる。
【０１１４】
一方、図示されてないが、フィルム収納部材および移動部材は、長方形のプレート状のみからなることがある。
【０１１５】
この場合、フィルム収納部材を構成するプレートの一面に所定の深さの第一溝を加工し、加工された第一溝の内面にまた第二溝を加工してフィルム収容空間を形成し、第一溝の内壁にプレートの長さ方向に平行のガイド溝を加工することができて、移動部材を構成するプレートの長軸端部には、ガイド突起を加工してガイド突起がガイド溝に沿ってスライディング結合することができるように構成できる。
【０１１６】
また、この場合、移動部材を構成するプレートの下端部には、端末対応部を形成することができる。
【０１１７】
提示した実施例等による説明は、任意の本考案の技術分野で通常の知識を有する者が本考案を用いたり、または、実施できたりするように提供される。このような実施例等における様々な変形等は、本考案の技術分野で通常の知識を有する者にとって明らかであり、ここで定義した一般的原理等は、本考案の範囲を外れることなく、他の実施例等に適用できる。而して、本考案は、ここに提示した実施例等で限定されるのではなく、ここに提示した原理等および新規の特徴等と一貫する最大の範囲で解釈するべきである。
【符号の説明】
【０１１８】
１０    液晶保護部材
１１    離型フィルム
１２    液晶保護フィルム
２０    タグ
１００    フィルム収納部材
１１０    底部
１２０    側面部
１３０    フィルム収容空間
１４０    ガイド壁
１４１    ガイド溝
１５０    蓋支持部
１６０    ストッパー締結溝
１７０    端末支え部
２００    移動部材
２１０    蓋部
２２０    スライディング壁
２２１    ガイド突起
２３０    端末対応部
２３１    湾入部
２３２    滑り片
２３３    ガイド片
２４０    フィルム押す面
２５０    ストッパー
２６０    収容部
３００    液晶ほこり除去部材
３１０    粘着シート
【図１】
0003207363.tif 000003
【図２】
0003207363.tif 000004
【図３】
0003207363.tif 000005
【図４】
0003207363.tif 000006
【手続補正書】
【提出日】平成28年8月26日(2016.8.26)
【手続補正１】
【補正対象書類名】実用新案登録請求の範囲
【補正対象項目名】請求項１２
【補正方法】変更
【補正の内容】
【請求項１２】
前記フィルム収容空間に隣接するよう、前記フィルム収納部材に結合された液晶ほこり除去部材をさらに含むことを特徴とする、
請求項１に記載の携帯端末の液晶保護フィルム付着ケース。